(57)【要約】      （修正有）【課題】堅固な擁壁構造を多大な工数をかけずに構築することができる擁壁ブロックの連結部材およびその連結部材を使用した擁壁構造を提供する。【解決手段】擁壁ブロックを段積みして構築する擁壁構造において、上下段の擁壁ブロックを水平面内に互いに拘束し合うための連結部材１０であって、連結部材は軸部材１１と、軸部材の一端側に固定された第１の板状部材１２と、軸部材の他端側に固定された第２の板状部材１３と、から成り、第１の板状部材は、下段側擁壁ブロックの上端面または上段側擁壁ブロックの下端面に設けた円環溝又は直線溝に嵌合し、第２の板状部材は、上段側擁壁ブロックの下端面または下段側擁壁ブロックの上端面に設けた円環溝又は直線溝に嵌合する構成の連結部材とした。【選択図】図１
2020090849.tif 000002
【特許請求の範囲】
【請求項１】
擁壁ブロックを段積みして構築する擁壁構造において、上下段の擁壁ブロックを水平面内に互いに拘束し合うための連結部材であって、
当該連結部材は軸部材と、
当該軸部材の一端側に固定された第１の板状部材と、
当該軸部材の他端側に固定された第２の板状部材と、
から成り、
当該第１の板状部材は、下段側擁壁ブロックの上端面または上段側擁壁ブロックの下端面に設けた円環溝又は直線溝に嵌合し、
当該第２の板状部材は、上段側擁壁ブロックの下端面または下段側擁壁ブロックの上端面に設けた円環溝又は直線溝に嵌合する
ことを特徴とする連結部材。
【請求項２】
擁壁ブロックを段積みして構築する擁壁構造において、上下段の擁壁ブロックを水平面内に互いに拘束し合うための連結部材であって、
当該連結部材は軸部材と、
当該軸部材の一端側に回動自在に連結された第１の板状部材と、
当該軸部材の他端側に回動自在に連結された第２の板状部材と、
から成り、
当該第１の板状部材は、下段側擁壁ブロックの上端面または上段側擁壁ブロックの下端面に設けた円環溝又は直線溝に嵌合し、
当該第２の板状部材は、上段側擁壁ブロックの下端面または下段側擁壁ブロックの上端面に設けた円環溝又は直線溝に嵌合する
ことを特徴とする連結部材。
【請求項３】
請求項１又は２に記載の連結部材において、少なくとも前記第１の板状部材と前記第２の板状部材は、鉄鋼材料または繊維強化プラスチック材料から成ることを特徴とする連結部材。
【請求項４】
請求項１に記載の連結部材を使用し、略円形状の擁壁ブロック又は多面体状の擁壁ブロックを段積して構築する擁壁構造であって、
少なくとも複数の下段側擁壁ブロックと、複数の上段側ブロックとからなり、
１の下段側擁壁ブロックの上に少なくとも２の上段側ブロックが載置され、
２の上段側ブロックの一方と１の下段側擁壁ブロックとは、少なくとも１の連結部材で連結され、
２の上段側ブロックの他方と１の下段側擁壁ブロックとは、少なくとも１の連結部材で連結されている
ことを特徴とする擁壁構造。
【請求項５】
請求項２に記載の連結部材を使用し、略円形状の擁壁ブロック又は多面体状の擁壁ブロックを段積して構築する擁壁構造であって、
少なくとも複数の下段側擁壁ブロックと、複数の上段側ブロックとからなり、
１の下段側擁壁ブロックの上に少なくとも２の上段側ブロックが載置され、
２の上段側ブロックの一方と１の下段側擁壁ブロックとは、少なくとも２の連結部材で連結され、
２の上段側ブロックの他方と１の下段側擁壁ブロックとは、少なくとも２の連結部材で連結されている
ことを特徴とする擁壁構造。
【発明の詳細な説明】
【技術分野】
【０００１】
本発明は、道路工事における擁壁、例えば直立擁壁、河川工事における護岸擁壁、例えば多段積護岸擁壁や緑化型自然護岸擁壁、宅地造成工事の土留擁壁、海岸堤防の護岸擁壁、例えば築堤護岸擁壁、あるいは城壁や石垣等の景観擁壁などの構築に使用される擁壁構造に関するものである。
【背景技術】
【０００２】
このような擁壁構造は、多種多様な擁壁ブロックを段積みし、必要に応じて砕石等の中詰材を充填して擁壁を構築するのが一般的である。
そして、段積みされた擁壁ブロックは、上下の擁壁ブロックの間、あるいは隣り合う擁壁ブロックの間には、機械的な連結を施さず、擁壁ブロック同士が互いに拘束し合うことのない状態で擁壁を構築するのが一般的であった。
【０００３】
また、擁壁ブロック同士を機械的に連結して擁壁を構築する先行技術も存在する（特許文献１参照）が、このような先行技術では、擁壁の厚み方向に擁壁用ブロックと補助ブロックを並べて配置し、この擁壁用ブロックと補助ブロックとを一対一で連結し、擁壁用ブロック、補助ブロック、および斜面までの間の各空所に、充填材を充填することによって擁壁の段を構成し、このような擁壁の段を下から上へ順次後退しながら複数段に積み上げていくことにより擁壁構造を構築している。
【０００４】
そして、擁壁用ブロックと補助ブロックとを一対一で連結するために、擁壁用ブロックと補助ブロックに連結孔を設け、その連結孔にボルト状の連結金具を挿入して固定する方法を取っている。
【０００５】
しかしながら、このような連結は、水平面内に配置され、隣接した擁壁ブロックのみを連結するものであって、下段および上段の擁壁ブロックを連結するものではない。  従って、各擁壁ブロックの水平面内の滑りを防止するための強固な拘束とはなっていなかった。
【０００６】
また、擁壁用ブロックと補助ブロックとを一対一で連結するために、ボルト状の連結金具を使用しているため、擁壁構造を構築する際の現場作業において、擁壁用ブロックと補助ブロックに設けられた連結孔を精度よく位置合わせすることが求められると共に、連結金具による固定作業が発生するため、現場作業において多大な工数を要するという問題があった。
【先行技術文献】
【特許文献】
【０００７】
【特許文献１】特開２００８−２２３３６３号公報
【発明の概要】
【発明が解決しようとする課題】
【０００８】
本発明は、上述したような背景技術を鑑みなされたものであって、堅固な擁壁構造を多大な工数をかけずに構築することができる擁壁ブロックの連結部材およびその連結部材を使用した擁壁構造を提供するものである。
【課題を解決するための手段】
【０００９】
上記課題を解決するため、第１の観点に係る発明では、擁壁ブロックを段積みして構築する擁壁構造において、上下段の擁壁ブロックを水平面内に互いに拘束し合うための連結部材であって、連結部材は軸部材と、軸部材の一端側に固定された第１の板状部材と、軸部材の他端側に固定された第２の板状部材と、から成り、第１の板状部材は、下段側擁壁ブロックの上端面または上段側擁壁ブロックの下端面に設けた円環溝又は直線溝に嵌合し、第２の板状部材は、上段側擁壁ブロックの下端面または下段側擁壁ブロックの上端面に設けた円環溝又は直線溝に嵌合する構成の連結部材とした。
【００１０】
また、第２の観点に係る発明では、擁壁ブロックを段積みして構築する擁壁構造において、上下段の擁壁ブロックを水平面内に互いに拘束し合うための連結部材であって、連結部材は軸部材と、軸部材の一端側に回動自在に連結された第１の板状部材と、軸部材の他端側に回動自在に連結された第２の板状部材と、から成り、第１の板状部材は、下段側擁壁ブロックの上端面または上段側擁壁ブロックの下端面に設けた円環溝又は直線溝に嵌合し、第２の板状部材は、上段側擁壁ブロックの下端面または下段側擁壁ブロックの上端面に設けた円環溝又は直線溝に嵌合する構成の連結部材とした。
【００１１】
また、第３の観点に係る発明では、第１の観点又は第２の観点に係る発明の連結部材において、少なくとも第１の板状部材と第２の板状部材は、鉄鋼材料または繊維強化プラスチック材料から成る構成の連結部材とした。
【００１２】
また、第４の観点に係る発明では、第１の観点に係る発明の連結部材を使用し、略円形状の擁壁ブロック又は多面体状の擁壁ブロックを段積して構築する擁壁構造であって、少なくとも複数の下段側擁壁ブロックと、複数の上段側ブロックとからなり、１の下段側擁壁ブロックの上に少なくとも２の上段側ブロックが載置され、２の上段側ブロックの一方と１の下段側擁壁ブロックとは、少なくとも１の連結部材で連結され、２の上段側ブロックの他方と１の下段側擁壁ブロックとは、少なくとも１の連結部材で連結されている構成の擁壁構造とした。
【００１３】
また、第５の観点に係る発明では、第２の観点に係る発明の連結部材を使用し、略円形状の擁壁ブロック又は多面体状の擁壁ブロックを段積して構築する擁壁構造であって、少なくとも複数の下段側擁壁ブロックと、複数の上段側ブロックとからなり、１の下段側擁壁ブロックの上に少なくとも２の上段側ブロックが載置され、２の上段側ブロックの一方と１の下段側擁壁ブロックとは、少なくとも２の連結部材で連結され、２の上段側ブロックの他方と１の下段側擁壁ブロックとは、少なくとも２の連結部材で連結されている構成の擁壁構造とした。
【発明の効果】
【００１４】
上述したような構成の擁壁ブロック用の連結部材、および当該連結部材を使用した擁壁構造としたため、堅固な擁壁構造を多大な工数をかけずに構築することができる擁壁ブロックの連結部材を提供することが可能になると共に、そのような連結部材を使用した擁壁構造を提供することが可能となった。
【図面の簡単な説明】
【００１５】
【図１】図１は、本発明に係る連結部材の斜視図を示したものである。
【図２】図２は、本発明に係る連結部材の一方の板状部材が、擁壁ブロックに設けられた円環溝に嵌合した状態の斜視図を示したものである。
【図３】図３は、略円形状の擁壁ブロックの典型的な例である、円筒状の擁壁ブロックを使用し、下段側擁壁ブロックに対して上段側擁壁ブロックを千鳥状に位置をずらして配置した擁壁構造を示したものである。
【図４】図４は、多面体状の擁壁ブロックの典型的な例である、四角形筒状の擁壁ブロックを使用し、下段側擁壁ブロックに対して上段側擁壁ブロックを千鳥状に位置をずらして配置した擁壁構造を示したものである。
【発明を実施するための形態】
【００１６】
用語の定義
本明細書において、「略円形状の擁壁ブロック」とは、中実円筒、中空円筒、中実円錐台、中空円錐台、中実楕円柱、中空楕円柱の形状を含む擁壁ブロックをいう。
【００１７】
本明細書において、「多面体状の擁壁ブロック」とは、４以上の平面で囲まれた中実または中空の立体形状であり、１つの面が複数の板、または複数の柱によって構成されたものも含む立体形状を持つ擁壁ブロックをいう。
【００１８】
実施例
図に基づき、本発明の１つの実施例に係る連結部材１０について説明する。  図１は、本発明の１つの実施例に係る連結部材１０の斜視図を示したものである。  この実施例に係る連結部材１０は、軸部材１１と、第１の板状部材１２と、第２の板状部材１３とから構成されている。
【００１９】
軸部材１１は、第１の板状部材１２と第２の板状部材１３を連結するための部材であって、その形状は特に限定されるものではないが、円柱、角柱などの柱状体であることが望ましい。  また、軸部材１１の材料は特に限定されるものではないが、例えば、繊維強化プラスチックや、鉄鋼材料などの金属材料を用いることができる。
【００２０】
第１の板状部材１２と第２の板状部材１３は、擁壁ブロックの上端面または下端面に設けた円環溝や直線溝にタイトに嵌まり込むような形状を有しており、単純な直方体（単純な板状体）の形状や図１に示すような湾曲した板状体の形状とすることができる。
【００２１】
また、第１の板状部材１２および第２の板状部材１３は、擁壁ブロックの上端面または下端面に設けた円環溝や直線溝にタイトに嵌まり込んだ後、第１の板状部材１２および第２の板状部材１３が、円環溝や直線溝に強固に噛み込み、擁壁ブロックに対して相対的な動きが生じないようにすることが望ましい。
【００２２】
このようにするために、第１の板状部材１２および第２の板状部材１３にバネ性を持たせ、第１の板状部材１２および第２の板状部材１３に曲げ変形を生じさせて、擁壁ブロックの上端面または下端面に設けた円環溝や直線溝に嵌合するようにしても良い。  すなわち、第１の板状部材１２および第２の板状部材１３の曲げ弾性変形によって擁壁ブロックの上端面または下端面に設けた円環溝や直線溝に強固に噛み込むようにしても良い。
【００２３】
また、第１の板状部材１２および第２の板状部材１３の材料は特に限定されるものではないが、例えば、繊維強化プラスチックや、鉄鋼材料などの金属材料を用いることができる。
【００２４】
なお、第１の板状部材１２は、軸部材１１の一端側に取り付けられ、第２の板状部材１３は、軸部材１１の他端側に取り付けられる。  このとき、軸部材１１と第１の板状部材１２、および軸部材１１と第２の板状部材１３とは相対的な動きのないように固定しても良い。  この場合、軸部材１１と第１の板状部材１２、および軸部材１１と第２の板状部材１３を例えば溶接接合したり、ボルト等によって機械的に結合するようにしても良い。
【００２５】
また、軸部材１１と第１の板状部材１２、および軸部材１１と第２の板状部材１３とを回動自在に連結するようにしても良い。  ここで、「回動自在に連結する」とは、第１の板状部材１２、および第２の板状部材１３が軸部材１１の軸周りに自由に回転することはできるが、第１の板状部材１２、および第２の板状部材１３は軸部材１１の長手方向には移動することができない状態にあることを言う。
なお、図２は、本発明に係る連結部材１０の一方の板状部材が、略円形状の擁壁ブロック１１０に設けられた円環溝１１１に嵌合した状態の斜視図を示したものである。
【００２６】
次に、上述した連結部材１０を使用した擁壁構造１００、２００について説明する。  擁壁構造１００、２００には、略円形状の擁壁ブロック１１０や多面体状の擁壁ブロック１２０を使用することができる。
【００２７】
図３は、略円形状の擁壁ブロック１１０を使用した擁壁構造１００の典型的な例である。  ここでは、円筒状の擁壁ブロック１１０を使用し、下段側擁壁ブロック１１０−１に対して上段側擁壁ブロック１１０−２を千鳥状に位置をずらして配置した擁壁構造１００としている。  なお、この千鳥状の擁壁ブロックの配置は、１の下段側擁壁ブロック１１０−１の上に少なくとも２の上段側ブロック１１０−２が載置される段積み方式の典型的な例である。
【００２８】
この擁壁構造１００において、連結部材１０を使用する場合には、下段側擁壁ブロック１１０−１の上端面には円環溝１１１を設け、上段側擁壁ブロック１１０−２の下端面にも円環溝１１１を設ける。
【００２９】
連結部材１０の第１の板状部材１２は、下段側擁壁ブロック１１０−１の上端面に設けた円環溝１１１に嵌合配置され、連結部材１０の第２の板状部材１３は、上段側擁壁ブロック１１０−２の下端面に設けた円環溝１１１に嵌合配置されるようになっている。
【００３０】
そして、擁壁ブロック１１０が千鳥状に配置された場合には、１の下段側擁壁ブロック１１０−１の上には少なくとも２の上段側ブロック１１０−２が載置され、２の上段側ブロック１１０−２の一方と１の下段側擁壁ブロック１１０−１とは、少なくとも２の連結部材１０で連結され、２の上段側擁壁ブロック１１０−２の他方と１の下段側擁壁ブロック１１０−１とは、少なくとも２の連結部材１０で連結されるようになっている。
【００３１】
上述したような構成の擁壁構造１００となっているため、下段側擁壁ブロック１１０−１の各々と隣接する上段側擁壁ブロック１１０−２の各々とは、互いに少なくとも２点において水平面内の動きを拘束し合うようになっており、その結果、擁壁構造１００全体の水平面内での動きが拘束されることになり、極めて安定的で堅固な擁壁構造１００を構築することが可能となる。
【００３２】
上述した擁壁構造１００を構築する場合、下段側擁壁ブロック１１０−１の上端面に設けた円環溝１１１に連結部材１０の第１の板状部材１２を挿入する。  この時、第１の板状部材１２と円環溝１１１の嵌合状態がタイトな場合には、連結部材１０を打ち込むことによって第１の板状部材１２を円環溝１１１へ挿入するようにしても良い。
【００３３】
また、第１の板状部材１２を下段側擁壁ブロック１１０−１の上端面に設けた円環溝１１１へ挿入し易くするために、下段側擁壁ブロック１１０−１の上端面に設けた円環溝１１１の入り口部分にテーパー部分を設け、円環溝１１１の入り口部分の幅寸法を、円環溝１１１のその他の部分の幅寸法よりも多少広く設定しておくようにしても良い。
【００３４】
次に、下段側擁壁ブロック１１０−１の上端面に配置された連結部材１０の第２の板状部材１３の位置と、上段側擁壁ブロック１１０−２の下端面に設けられた円環溝１１１が一致するようにして上段側擁壁ブロック１１０−２を載置すると、上段側擁壁ブロック１１０−２の自重によって、連結部材１０の第２の板状部材１３は上段側擁壁ブロック１１０−２の下端面に設けられた円環溝１１１に挿入される。
【００３５】
このとき、第２の板状部材１２を上段側擁壁ブロック１１０−２の下端面に設けられた円環溝１１１へ挿入し易くするために、上段側擁壁ブロック１１０−２の下端面に設けられた円環溝１１１の入り口部分にテーパー部分を設け、円環溝１１１の入り口部分の幅寸法を、円環溝１１１のその他の部分の幅寸法よりも多少広く設定しておくことが望ましい。
【００３６】
以上説明したように、下段側擁壁ブロック１１０−１の上に連結部材１０を設置し、その上に上段側擁壁ブロック１１０−２を積み重ねていくだけで擁壁構造を構築することができるようになっており、極めて少ない工数で擁壁構造１００を構築することができる。
【００３７】
また、連結部材１０は、擁壁ブロック１１０の端面に設けた円環溝１１１の円周上の任意の位置に設置することができるので、施工現場が３次元的な曲面を有する法面であっても、法面の形状に合せ、現場作業によって自由な曲面の擁壁構造１００を簡単に構築することが可能となる。
【００３８】
なお、連結部材１０の軸部材１１と第１の板状部材１２、および軸部材１１と第２の板状部材１３とが相対的な動きのないように固定されている場合、すなわち、第１の板状部材１２は軸部材１１の一端側に固定され、第２の板状部材１３が軸部材１１の他端側に固定されている場合には、連結部材１０を次のような配置にして擁壁構造１００を構築することもできる。
【００３９】
すなわち、１の下段側擁壁ブロック１１０−１の上には少なくとも２の上段側ブロック１１０−２を載置し、２の上段側ブロック１１０−２の一方と１の下段側擁壁ブロック１１０−１とを、少なくとも１の連結部材１０で連結し、２の上段側擁壁ブロック１１０−２の他方と１の下段側擁壁ブロック１１０−１とを、少なくとも１の連結部材１０で連結するようにしても良い。
【００４０】
この場合、軸部材１１と第１の板状部材１２、および軸部材１１と第２の板状部材１３とは相対的な動きのない固定状態（第１の板状部材１２および第２の板状部材１３は、軸部材１１に対して回転しない状態）にあるため、下段側擁壁ブロック１１０−１と上段側ブロック１１０−２の相対的な位置関係は固定される。
【００４１】
したがって、下段側擁壁ブロック１１０−１の各々と隣接する上段側擁壁ブロック１１０−２の各々とは、互いに水平面内の動きを拘束し合うようになり、その結果、擁壁構造１００全体の水平面内での動きが拘束されることになり、極めて安定的で堅固な擁壁構造１００を構築することが可能となる。
【００４２】
なお、以上の説明においては、連結部材１０の第１の板状部材１２は、下段側擁壁ブロック１１０−１の上端面に設けた円環溝１１１に嵌合配置され、連結部材１０の第２の板状部材１３は、上段側擁壁ブロック１１０−２の下端面に設けた円環溝１１１に嵌合配置されるようになっているものとして説明してきたが、これに限定されるものではなく、連結部材１０の第２の板状部材１３が、下段側擁壁ブロック１１０−１の上端面に設けた円環溝１１１に嵌合配置され、連結部材１０の第１の板状部材１２が、上段側擁壁ブロック１１０−２の下端面に設けた円環溝１１１に嵌合配置されるようにしても良い。
【００４３】
図４は、多面体状の擁壁ブロック１２０の典型的な例である、四角形筒状の擁壁ブロック１２０を使用し、下段側擁壁ブロック１２０−１に対して上段側擁壁ブロック１２０−２を千鳥状に位置をずらして配置した擁壁構造２００を示したものである。  なお、この千鳥状の擁壁ブロックの配置は、１の下段側擁壁ブロック１２０−１の上に少なくとも２の上段側ブロック１２０−２が載置される段積み方式の典型的な例である。
【００４４】
多面体状の擁壁ブロック１２０を使用して擁壁構造２００を構築する場合においても、略円形状の擁壁ブロック１１０を使用した擁壁構造１００と同様に、連結部材１０を使用した擁壁構造２００を構築することが可能であり、略円形状の擁壁ブロック１１０を使用した擁壁構造１００と同様な効果を得ることができる。
なお、この場合、連結部材１０の第１および第２の板状部材は四角形筒状の擁壁ブロック１２０の上下端面に設けられた直線溝１２１に嵌合することになる。
【符号の説明】
【００４５】
１０                      連結部材
１１                      軸部材
１２                      第１の板状部材
１３                      第２の板状部材
１００、２００                          擁壁構造
１１０、１２０                          擁壁ブロック
１１０−１、１２０−１    下段側擁壁ブロック
１１０−２、１２０−２    上段側擁壁ブロック
１１１                    円環溝
１２１                    直線溝
【図１】
2020090849.tif 000003
【図２】
2020090849.tif 000004
【図３】
2020090849.tif 000005
【図４】
2020090849.tif 000006